【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
脈拍検出部からの検出信号に基づいてユーザーの脈拍数を取得する脈拍取得手段と、
前記脈拍数が所定の適正脈拍範囲内であるか否かを判定する脈拍判定手段と、
前記脈拍数に基づいて、脈拍数の変動傾向を判定する脈拍傾向判定手段と、
前記脈拍判定手段の判定結果、及び前記脈拍傾向判定手段により判定された前記脈拍数の変動傾向に基づいた音を出力させる音出力手段と、
を備えたことを特徴とする運動支援装置。
【請求項２】
請求項１に記載の運動支援装置において、
前記適正脈拍範囲は、複数の部分脈拍範囲に区分されており、
前記音出力手段は、取得した前記脈拍数が属する前記部分脈拍範囲に応じて、異なる音を出力する
ことを特徴とする運動支援装置。
【請求項３】
請求項２に記載の運動支援装置において、
前記適正脈拍範囲は、前記部分脈拍範囲として、前記適正脈拍範囲内の所定の第一脈拍値から前記適正脈拍範囲の上限値までの第一脈拍範囲と、前記適正脈拍範囲内の前記第一脈拍値よりも小さい第二脈拍値から前記適正脈拍範囲の下限値までの第二脈拍範囲とを含み、
前記音出力手段は、前記脈拍数の変動傾向が上昇傾向であり、かつ取得した前記脈拍数が前記第一脈拍範囲内である場合、及び前記脈拍数の変動傾向が下降傾向であり、かつ取得した前記脈拍数が前記第二脈拍範囲内である場合に、前記脈拍数が前記適正脈拍範囲から外れる可能性がある旨を知らせる音を出力する
ことを特徴とする運動支援装置。
【請求項４】
請求項３に記載の運動支援装置において、
前記音出力手段は、前記脈拍数の変動傾向が上昇傾向であり、かつ取得した前記脈拍数が前記適正脈拍範囲における前記第一脈拍範囲外である場合、及び前記脈拍数の変動傾向が下降傾向であり、かつ検出された前記脈拍数が前記適正脈拍範囲における前記第二脈拍範囲外である場合、前記音の出力を停止する
ことを特徴とする運動支援装置。
【請求項５】
請求項２から請求項４のいずれかに記載の運動支援装置において、
前記音出力手段は、取得した前記脈拍数が属する前記部分脈拍範囲が高いほど、高い周波数の音を出力する
ことを特徴とする運動支援装置。
【請求項６】
請求項２から請求項５のいずれかに記載の運動支援装置において、
前記音出力手段は、所定の時間間隔で音を出力し、取得した前記脈拍数が属する前記部分脈拍範囲が高いほど、前記前記時間間隔を長くする
ことを特徴とする運動支援装置。
【請求項７】
請求項１から請求項６のいずれかに記載の運動支援装置において、
前記音出力手段は、前記脈拍判定手段により前記脈拍数が前記適正脈拍範囲外であると判定された場合に、警告音を出力する
ことを特徴とする運動支援装置。    
【請求項８】
請求項１から請求項７のいずれかに記載の運動支援装置において、
前記ユーザーの運動量を計測する運動量計測手段と、
所定の対象期間における前記運動量の累計値が予め設定された運動目標値に達したか否かを判定する目標判定手段と、を備え、
前記音出力手段は、目標判定手段により、所定の対象期間における前記運動量の累計値が前記運動目標値となった際に、前記運動目標値に達した旨を知らせる音を出力する
ことを特徴とする運動支援装置。
【請求項９】
請求項１から８のいずれかに記載の運動支援装置において、
前記脈拍取得手段が取得した前記脈拍数を記憶する脈拍記憶手段を備え、
前記脈拍傾向判定手段は、前記脈拍記憶手段に記憶された前記脈拍数に基づいて、脈拍数の変動傾向を判定する
ことを特徴とする運動支援装置。
【請求項１０】
脈拍検出部からの検出信号に基づいてユーザーの脈拍数を取得する脈拍取得ステップと、
前記脈拍数が所定の適正脈拍範囲内であるか否かを判定する脈拍判定ステップと、
前記脈拍数に基づいて、脈拍数の変動傾向を判定する脈拍傾向判定ステップと、
前記脈拍判定ステップにより検出された判定結果、及び前記脈拍傾向判定ステップにより判定された前記脈拍数の変動傾向に基づいた音を出力させる音出力ステップと、
を実施することを特徴とする運動支援方法。
【請求項１１】
請求項１０に記載の運動支援方法において、
前記適正脈拍範囲は、複数の部分脈拍範囲に区分されており、
前記音出力ステップでは、取得した前記脈拍数が属する前記部分脈拍範囲に応じて、異なる音を出力する
ことを特徴とする運動支援方法。
【請求項１２】
請求項１１に記載の運動支援方法において、
前記適正脈拍範囲は、前記部分脈拍範囲として、前記適正脈拍範囲内の所定の第一脈拍値から前記適正脈拍範囲の上限値までの第一脈拍範囲と、前記適正脈拍範囲内の前記第一脈拍値よりも小さい第二脈拍値から前記適正脈拍範囲の下限値までの第二脈拍範囲とを含み、
前記音出力ステップでは、前記脈拍数の変動傾向が上昇傾向であり、かつ取得した前記脈拍数が前記第一脈拍範囲内である場合、及び前記脈拍数の変動傾向が下降傾向であり、かつ取得した前記脈拍数が前記第二脈拍範囲内である場合に、前記脈拍数が前記適正脈拍範囲から外れる可能性がある旨を知らせる音を出力する
ことを特徴とする運動支援方法。
【請求項１３】
請求項１２に記載の運動支援方法において、
前記音出力ステップでは、前記脈拍数の変動傾向が上昇傾向であり、かつ取得した前記脈拍数が前記適正脈拍範囲における前記第一脈拍範囲外である場合、及び前記脈拍数の変動傾向が下降傾向であり、かつ検出された前記脈拍数が前記適正脈拍範囲における前記第二脈拍範囲外である場合、前記音の出力を停止する
ことを特徴とする運動支援方法。
【請求項１４】
請求項１１から請求項１３のいずれかに記載の運動支援方法において、
前記音出力ステップでは、取得した前記脈拍数が属する前記部分脈拍範囲が高いほど、高い周波数の音を出力する
ことを特徴とする運動支援方法。
【請求項１５】
請求項１１から請求項１４のいずれかに記載の運動支援方法において、
前記音出力ステップでは、所定の時間間隔で音を出力し、取得した前記脈拍数が属する前記部分脈拍範囲が高いほど、前記前記時間間隔を長くする
ことを特徴とする運動支援方法。
【請求項１６】
請求項１０から請求項１５のいずれかに記載の運動支援方法において、
前記音出力ステップでは、前記脈拍判定手段により前記脈拍数が前記適正脈拍範囲外であると判定された場合に、警告音を出力する
ことを特徴とする運動支援方法。
【請求項１７】
請求項１０から請求項１６のいずれかに記載の運動支援方法において、
前記ユーザーの運動量を計測する運動量計測ステップと、
所定の対象期間における前記運動量の累計値が予め設定された運動目標値に達したか否かを判定する目標判定ステップと、を備え、
前記音出力ステップでは、前記目標判定ステップにおいて、所定の対象期間における前記運動量の累計値が前記運動目標値となった際に、前記運動目標値に達した旨を知らせる音を出力する
ことを特徴とする運動支援方法。
【請求項１８】
請求項１０から１７のいずれかに記載の運動支援方法において、
前記脈拍数を記憶する脈拍記憶ステップを備え、
前記脈拍傾向判定ステップでは、前記脈拍記憶ステップで記憶された前記脈拍数に基づいて、脈拍数の変動傾向を判定する
ことを特徴とする運動支援方法。
【請求項１９】
コンピューターを請求項１から請求項８のいずれかに記載の運動支援装置として機能させることを特徴とする運動支援プログラム。